(57)【要約】案内レールは、遮蔽材（１３）の外縁部（１３Ｅ）を挟み互いに対向する２つの通路形成部材である前側通路形成部材（２３Ｆ）と後側通路形成部材（２３Ｂ）とを備える。２つの通路形成部材の少なくとも一方は、２つの通路形成部材の間の空間で、遮蔽材（１３）の外縁部（１３Ｅ）の昇降を許容する第１位置と、遮蔽材（１３）の外縁部（１３Ｅ）に対する押圧を第１位置よりも高める第２位置とに変位する可動部である。可動部は、２つの通路形成部材の間の空間から逸脱する途中の遮蔽材（１３）と接触できる位置に配置され、その空間から逸脱する途中の遮蔽材（１３）に追従して第１位置から第２位置へ変位する。
2015012266.tif 000002
【特許請求の範囲】
【請求項１】
遮蔽材と、
前記遮蔽材の外縁部を挟むことの可能な挟持部と、を備え、
前記挟持部は、
前記外縁部を挟む空間で前記外縁部の移動を許容する第１位置と、前記外縁部に対する保持力を前記第１位置よりも高める第２位置とに変位する可動部を備え、
前記可動部は、
前記空間から逸脱する途中の前記遮蔽材と接触可能な位置に配置され、前記空間から逸脱する途中の前記遮蔽材に追従して前記第１位置から前記第２位置へ変位する
日射遮蔽装置。
【請求項２】
１つの延在方向に沿って延びる形状を有して前記外縁部を前記延在方向に沿って案内する案内レールをさらに備え、
前記案内レールが、２つの通路形成部材から構成される前記挟持部を備え、
前記２つの通路形成部材の少なくとも一方は前記可動部であり、
前記２つの通路形成部材は、前記第１位置において、前記延在方向に沿った前記外縁部の移動を案内する
請求項１に記載の日射遮蔽装置。
【請求項３】
前記可動部は、前記第２位置において前記遮蔽材を押圧して前記保持力を高める
請求項１または２に記載の日射遮蔽装置。
【請求項４】
前記可動部は、軸を中心として回転するカム面を有するカムであり、前記カム面にて前記外縁部と対向する部分が、前記外縁部を押圧できる対向部分であり、
前記カム面が前記第１位置から回転して前記第２位置に位置する状態では、前記カム面が前記第１位置に位置する状態よりも、前記対向部分と前記軸との間の距離が大きい
請求項１から３のいずれか１つに記載の日射遮蔽装置。
【請求項５】
前記可動部は、前記カム面に連結し、前記カム面に回転力を入力する入力端を備え、
前記入力端は、前記カム面に対して前記遮蔽材の中央側に位置し、前記空間から逸脱する途中の前記遮蔽材と接触する部分を構成し、
前記遮蔽材の面方向と交差する方向に向けて動く前記遮蔽材が前記入力端を押すことによって前記カム面が前記第１位置から前記第２位置に変位する
請求項４に記載の日射遮蔽装置。
【請求項６】
前記対向部分は、前記空間から逸脱する途中の前記遮蔽材と接触する部分を構成し、前記空間から逸脱する途中の前記外縁部と前記対向部分との摩擦によって前記外縁部に追従する
請求項４または５に記載の日射遮蔽装置。
【請求項７】
前記カム面は、前記外縁部に向けて突き出た突部の繰り返しである凹凸面である
請求項４から６のいずれか１つに記載の日射遮蔽装置。
【請求項８】
前記可動部は、前記空間から逸脱する途中の前記外縁部との摩擦によって前記遮蔽材に追従して弾性変形する弾性体であり、弾性変形による弾性力によって前記外縁部を押圧する
請求項１から３のいずれか１つに記載の日射遮蔽装置。
【請求項９】
前記２つの通路形成部材が、１つの通路部分であり、
前記案内レールは、前記延在方向に沿って並ぶ複数の前記通路部分を備える
請求項２に記載の日射遮蔽装置。
【請求項１０】
前記可動部は、
前記可動部が前記第２位置に位置するとき、前記外縁部に対する押圧に伴う摩擦力を越える張力が前記遮蔽材に作用することによって、前記空間から前記遮蔽材が逸脱することを許容する
請求項１から９のいずれか１つに記載の日射遮蔽装置。
【発明の詳細な説明】
【技術分野】
【０００１】
本開示は、遮蔽材を備える日射遮蔽装置に関する。
【背景技術】
【０００２】
日射遮蔽装置の一例であるロールスクリーンでは、巻取軸に巻取られたスクリーンが引出操作によって下降し、また、巻取軸から引出されたスクリーンが巻取操作によって上昇する。ロールスクリーンの備える案内レールは、通常、スクリーンの昇降方向に沿って延びる形状を有し、巻取軸から引出されたスクリーンの外縁部は、こうした案内レールの内側に入り込む。そして、スクリーンが下降するとき、および、スクリーンが上昇するとき、スクリーンの外縁部は案内レールに沿って動き、これによって、スクリーンは昇降方向に沿って案内される（例えば、特許文献１参照）。
【先行技術文献】
【特許文献】
【０００３】
【特許文献１】特開２００８−１０１３６８号公報
【発明の概要】
【発明が解決しようとする課題】
【０００４】
ところで、スクリーンが区画する２つの空間の間に気圧差が生じるとき、スクリーンの全体には、高圧側の空間から低圧側の空間に向けた外力が作用する。
例えば、スクリーンがクリーン度の高い空間とクリーン度の低い空間とを区画するとき、クリーン度の高い空間とクリーン度の低い空間との間の気圧差によって、クリーン度の低い空間へスクリーンが張出すような外力をスクリーンの全体は受ける。【０００５】
結果として、案内レールに入っていたスクリーンの外縁部が、気圧差が高いことによって案内レールから外れて、これ以降のスクリーンは、案内レールによって案内されなくなるおそれがある。そして、一度案内レールから抜けたスクリーンを案内レールに復帰させることは容易ではない。【０００６】
なお、スクリーンの外縁部が通路から抜けるという課題は、スクリーンの区画する２つの空間の間の気圧差に限らず、引出されたスクリーンに外力が作用するときに共通して生じる課題である。さらに、こうした課題は、横型のスクリーンの他、縦型のスクリーン、プリーツスクリーン、ブラインド装置であっても同様に生じる課題であって、所定の位置に保持されるべき遮蔽材を備える日射遮蔽装置において共通する課題である。【０００７】
本開示の目的は、遮蔽材の外縁部が変位することを抑える日射遮蔽装置を提供することである。
【課題を解決するための手段】
【０００８】
本開示の日射遮蔽装置の一態様は、遮蔽材と、前記遮蔽材の外縁部を挟むことの可能な挟持部と、を備え、前記挟持部は、前記外縁部を挟む空間で前記外縁部の移動を許容する第１位置と、前記外縁部に対する保持力を前記第１位置よりも高める第２位置とに変位する可動部を備え、前記可動部は、前記空間から逸脱する途中の前記遮蔽材と接触可能な位置に配置され、前記空間から逸脱する途中の前記遮蔽材に追従して前記第１位置から前記第２位置へ変位する。【０００９】
本開示の日射遮蔽装置の他の態様にて、１つの延在方向に沿って延びる形状を有して前記外縁部を前記延在方向に沿って案内する案内レールをさらに備え、前記案内レールが、２つの通路形成部材から構成される前記挟持部を備え、前記２つの通路形成部材の少なくとも一方は前記可動部であり、前記２つの通路形成部材は、前記第１位置において、前記延在方向に沿った前記外縁部の移動を案内する。【００１０】
本開示の日射遮蔽装置の他の態様にて、前記可動部は、前記第２位置において前記遮蔽材を押圧して前記保持力を高めることが好ましい。
本開示の日射遮蔽装置の他の態様にて、前記可動部は、軸を中心として回転するカム面を有するカムであり、前記カム面にて前記外縁部と対向する部分が、前記外縁部を押圧できる対向部分であり、前記カム面が前記第１位置から回転して前記第２位置に位置する状態では、前記カム面が前記第１位置に位置する状態よりも、前記対向部分と前記軸との間の距離が大きいことが好ましい。【００１１】
本開示の日射遮蔽装置の他の態様にて、前記可動部は、前記カム面に連結し、前記カム面に回転力を入力する入力端を備え、前記入力端は、前記カム面に対して前記遮蔽材の中央側に位置し、前記空間から逸脱する途中の前記遮蔽材と接触する部分を構成し、前記遮蔽材の面方向と交差する方向に向けて動く前記遮蔽材が前記入力端を押すことによって前記カム面が前記第１位置から前記第２位置に変位することが好ましい。【００１２】
本開示の日射遮蔽装置の他の態様にて、前記対向部分は、前記空間から逸脱する途中の前記遮蔽材と接触する部分を構成し、前記空間から逸脱する途中の前記外縁部と前記対向部分との摩擦によって前記外縁部に追従する。【００１３】
本開示の日射遮蔽装置の他の態様にて、前記カム面は、前記外縁部に向けて突き出た突部の繰り返しである凹凸面であることが好ましい。
本開示の日射遮蔽装置の他の態様にて、前記可動部は、前記空間から逸脱する途中の前記外縁部との摩擦によって前記遮蔽材に追従して弾性変形する弾性体であり、弾性変形による弾性力によって前記外縁部を押圧することが好ましい。【００１４】
本開示の日射遮蔽装置の他の態様にて、前記２つの通路形成部材が、１つの通路部分であり、前記案内レールは、前記延在方向に沿って並ぶ複数の前記通路部分を備えることが好ましい。【００１５】
本開示の日射遮蔽装置の他の態様にて、前記可動部は、前記可動部が前記第２位置に位置するとき、前記外縁部に対する押圧に伴う摩擦力を越える張力が前記遮蔽材に作用することによって、前記空間から前記遮蔽材が逸脱することを許容することが好ましい。
【発明の効果】
【００１６】
本開示の日射遮蔽装置によれば、遮蔽材の外縁部が案内レールから外れることが抑えられる。
【図面の簡単な説明】
【００１７】
【図１】本開示の日射遮蔽装置をロールスクリーンに具体化した第１実施形態におけるロールスクリーンの正面構造を示す正面図である。
【図２】第１実施形態におけるロールスクリーンの側面構造を示す側面図である。
【図３】第１実施形態における案内レールの側面構造の一部を拡大して示す部分側面図である。
【図４】第１実施形態における通路形成部材の平面構造をスクリーンと共に示す平面図である。
【図５】第１実施形態における通路形成部材の作用を示す平面図であって、スクリーンの外縁部が通路形成部材の間の空間から抜ける途中の状態を示す図である。
【図６】第２実施形態における通路形成部材の平面構造をスクリーンとともに示す平面図である。
【図７】第２実施形態における通路形成部材の作用を示す平面図であって、スクリーンの外縁部が通路形成部材の間の空間から抜ける途中の状態を示す図である。
【図８】第３実施形態における通路形成部材の平面構造をスクリーンと共に示す平面図である。
【図９】第３実施形態における通路形成部材の平面構造の一部をスクリーンと共に拡大して示す部分平面図である。
【図１０】第３実施形態における通路形成部材の作用を示す平面図であって、スクリーンの外縁部が通路形成部材の間の空間から抜け始める状態を示す図である。
【図１１】第３実施形態における通路形成部材の作用を示す平面図であって、スクリーンの外縁部が通路形成部材の間の空間から抜ける途中の状態を示す図である。
【図１２】変形例のロールスクリーンにおける案内レールの正面構造の一部を示す部分正面図である。
【図１３】第４実施形態におけるロールスクリーンの正面構造を示す正面図であって、案内レールの一部を前側から順に切り欠いて示す図である。
【図１４】変形例における日射遮蔽装置の正面構造を示す正面図であって、案内レールの一部を前側から順に切り欠いて示す図である。
【図１５】本開示の日射遮蔽装置を縦型スクリーンに具体化した第５実施形態における縦型スクリーンの正面構造を示す正面図であって、案内レールの一部を前側から順に切り欠いて示す図である。
【図１６】変形例における日射遮蔽装置の正面構造を示す正面図であって、案内レールの一部を前側から順に切り欠いて示す図である。
【図１７】本開示の日射遮蔽装置を二重の縦型スクリーンに具体化した変形例における通路形成部材の側断面構造を示す断面図である。
【発明を実施するための形態】
【００１８】
［第１実施形態］
本開示の日射遮蔽装置をロールスクリーンに具体化した第１実施形態のロールスクリーンを図１から図５を参照して説明する。
【００１９】
［ロールスクリーンの構成］
図１が示すように、ロールスクリーンが備える枠体１１は、左右方向に沿って延びる巻取軸１２を回転できる状態で支持している。巻取軸１２は、遮蔽材の一例であって矩形形状を有するスクリーン１３の上端部を巻取軸１２の軸線方向に沿って支持している。スクリーン１３の下端部は、巻取軸１２の外周面から離れて、開閉方向の一例であって昇降方向の一例である鉛直方向の下側に向かって自重によって垂れ下がっている。スクリーン１３の下端部は、左右方向に沿って延びるウエイトバー１４を有することが好ましく、ウエイトバー１４は、スクリーン１３の位置を昇降方向に沿って安定させる。スクリーン１３の下端部がウエイトバー１４を有する構成にて、ウエイトバー１４の左右方向に沿った長さＬＷは、スクリーン１３の左右方向に沿った長さＬＳよりも短い。
【００２０】
巻取軸１２は、巻取軸１２を回転させる回転機構を通じて、操作部の一例である操作チェーン１５に連結している。巻取軸１２は、操作チェーン１５の巻取操作によって正転し、操作チェーン１５の引出操作によって逆転する。正転する巻取軸１２は、巻取軸１２の周方向に沿ってスクリーン１３を巻取軸１２に巻取り、逆転する巻取軸１２は、巻取軸１２に巻取られたスクリーン１３を巻取軸１２から引出す。なお、巻取軸１２を回転させる機構は、巻取軸１２を正転、および、逆転させるモーターを備えていてもよい。回転機構がモーターを備える電動式である構成にて、操作部はモーターの回転方向を切り替える操作スイッチに具体化される。
【００２１】
巻取軸１２の左右両端部の下側には、昇降方向に沿って延びる左右一対の案内レール２１が立てられている。左右一対の案内レール２１の各々は、スクリーン１３の前側に位置する前側案内壁２１Ｆと、スクリーン１３の後側に位置する後側案内壁２１Ｂとを備えている。前側案内壁２１Ｆ、および、後側案内壁２１Ｂは、前側案内壁２１Ｆと後側案内壁２１Ｂとの間に案内通路２１Ｇを形成する。右側の案内レール２１にて、前側案内壁２１Ｆと後側案内壁２１Ｂとの間には、スクリーン１３の右側の外縁部１３Ｅが入り込み、左側の案内レール２１にて、前側案内壁２１Ｆと後側案内壁２１Ｂとの間には、スクリーン１３の左側の外縁部１３Ｅが入り込んでいる。
【００２２】
左右一対の案内レール２１の各々は、昇降方向における上端部として誘導部２２を備えている。左右一対の誘導部２２の各々は、スクリーン１３の前側に位置する前側誘導壁２２Ｆと、スクリーン１３の後側に位置する後側誘導壁２２Ｂとを備えている。右側の案内レール２１にて、前側誘導壁２２Ｆと後側誘導壁２２Ｂとの間の空間である隙間には、スクリーン１３の右側の外縁部１３Ｅが入り込んでいる。左側の案内レール２１にて、前側誘導壁２２Ｆと後側誘導壁２２Ｂとの間の隙間には、スクリーン１３の左側の外縁部１３Ｅが入り込んでいる。
【００２３】
なお、左右一対の前側誘導壁２２Ｆの各々にて、他方の前側誘導壁２２Ｆと対向する側辺は、誘導内側辺２２Ａである。左側の前側誘導壁２２Ｆでは、スクリーン１３の左右方向に沿った幅ＬＧが、昇降方向の上側に向かって徐々に小さくなるように、スクリーン１３の左右方向の左側に向かって、誘導内側辺２２Ａは緩やかに曲がっていることが好ましい。右側の前側誘導壁２２Ｆでもまた、スクリーン１３の左右方向に沿った幅ＬＧが、昇降方向の上側に向かって徐々に小さくなるように、スクリーン１３の左右方向の右側に向かって、誘導内側辺２２Ａは緩やかに曲がっていることが好ましい。また、左右一対の後側誘導壁２２Ｂの各々でもまた、他方の後側誘導壁２２Ｂと対向する側辺は、誘導内側辺２２Ａであり、前側誘導壁２２Ｆと同じく、緩やかに曲がっていることが好ましい。
【００２４】
図２が示すように、前側誘導壁２２Ｆの後側面、および、後側誘導壁２２Ｂの前側面の各々には、前側誘導壁２２Ｆと後側誘導壁２２Ｂとの間の間隔を、昇降方向の上側から昇降方向の下側に向けて狭くする狭窄部２２Ｓが突き出ている。
【００２５】
前側案内壁２１Ｆの後側面は、挟持部を構成する前側通路形成部材２３Ｆを支持し、その前側通路形成部材２３Ｆは、前側案内壁２１Ｆの昇降方向の全体にわたる帯形状を有している。後側案内壁２１Ｂの前側面は、挟持部を構成する後側通路形成部材２３Ｂを支持し、その後側通路形成部材２３Ｂは、後側案内壁２１Ｂの昇降方向の全体にわたる帯形状を有している。
【００２６】
前側通路形成部材２３Ｆと後側通路形成部材２３Ｂとは、前側通路形成部材２３Ｆと後側通路形成部材２３Ｂとの間に案内通路２１Ｇを区画している。前側通路形成部材２３Ｆ、および、後側通路形成部材２３Ｂが区画する案内通路２１Ｇに、スクリーン１３が入り込んでいる。
【００２７】
図３が示すように、巻取軸１２が回転中心１２Ａを中心として正転して、スクリーン１３の全てが案内レール２１から離れるとき、スクリーン１３の下側端辺は、案内レール２１の上側に位置する。この状態から、巻取軸１２が回転中心１２Ａを中心として逆転して、スクリーン１３の下側端辺が下がるとき、スクリーン１３の外縁部１３Ｅは、前側誘導壁２２Ｆと後側誘導壁２２Ｂとの間に入り込む。
【００２８】
この際に、例えば、前側誘導壁２２Ｆと後側誘導壁２２Ｂとの中間よりも前側誘導壁２２Ｆに近い位置から、スクリーン１３の外縁部１３Ｅが入り込むとき、スクリーン１３の外縁部１３Ｅは、前側誘導壁２２Ｆに案内されて、前側誘導壁２２Ｆと後側誘導壁２２Ｂとの中間に位置する。また、例えば、前側誘導壁２２Ｆと後側誘導壁２２Ｂとの中間よりも後側誘導壁２２Ｂに近い位置から、スクリーン１３の外縁部１３Ｅが入り込むとき、スクリーン１３の外縁部１３Ｅは、後側誘導壁２２Ｂに案内されて、これもまた、前側誘導壁２２Ｆと後側誘導壁２２Ｂとの中間に位置する。
【００２９】
図４が示すように、前側通路形成部材２３Ｆは、前側案内壁２１Ｆの後側面に固定され、また、後側通路形成部材２３Ｂは、後側案内壁２１Ｂの前側面に固定されている。可動部は、１又は複数の可動部材から構成されている。可動部材の一例である前側通路形成部材２３Ｆと、可動部材の一例である後側通路形成部材２３Ｂとは、前側通路形成部材２３Ｆと後側通路形成部材２３Ｂとの中間を通る鉛直面に対して、互いに面対称となる形状を有している。そのため、以下では、前側通路形成部材２３Ｆの構成を詳細に説明し、後側通路形成部材２３Ｂにて前側通路形成部材２３Ｆと重複する構成の説明を省略する。
【００３０】
前側通路形成部材２３Ｆは、前側案内壁２１Ｆに固定される支持部２３Ｍを備え、支持部２３Ｍは、前側案内壁２１Ｆにおける昇降方向のほぼ全体にわたる矩形柱形状を有している。なお、可動部と案内レール２１が一体に成形された構造であってもよい。また、前側通路形成部材２３Ｆの支持部２３Ｍは、前側案内壁２１Ｆと一体に形成され、前側案内壁２１Ｆの一部によって構成されてもよい。支持部２３Ｍにて、スクリーン１３の中央側の角部には、昇降方向に沿って延びる半円筒形状を有した抜止曲板２３Ｓが突き出ている。抜止曲板２３Ｓは、支持部２３Ｍから後側通路形成部材２３Ｂに向かって突き出る半円筒形状を有し、昇降方向から見て、後側通路形成部材２３Ｂに向かって突き出る半円弧形状を、前側案内壁２１Ｆにおける昇降方向のほぼ全体にわたり有している。
【００３１】
抜止曲板２３Ｓは、昇降方向から見て、スクリーン１３の中央側と、スクリーン１３の外縁部側とに端部を有している。抜止曲板２３Ｓの端部のうち、スクリーン１３の中央側の端部は、支持部２３Ｍに接続し、スクリーン１３の外縁部側の端部は、自由端である。抜止曲板２３Ｓは、可撓性を有する弾性体であり、抜止曲板２３Ｓと支持部２３Ｍとの接続する部分である接続部Ｃ１を支点として曲がるように構成されている。
【００３２】
前側通路形成部材２３Ｆの抜止曲板２３Ｓにて、最も後側の部位、すなわち、最も後側通路形成部材２３Ｂに近い部位は、接触部Ｋであり、後側通路形成部材２３Ｂの抜止曲板２３Ｓにて、最も前側の部位、すなわち、最も前側通路形成部材２３Ｆに近い部位もまた、接触部Ｋである。これら２つの接触部Ｋは、互いに対向している。２つの接触部Ｋは、ロールスクリーンの左右方向において、接続部Ｃ１よりもスクリーン１３の外縁部側に位置している。
【００３３】
案内通路２１Ｇは、前側通路形成部材２３Ｆの抜止曲板２３Ｓと、後側通路形成部材２３Ｂの抜止曲板２３Ｓとの間の空間である隙間によって構成され、２つの接触部Ｋの間の隙間は、スクリーン１３の厚さ以下に設定されている。２つの接触部Ｋの間の隙間は、案内通路２１Ｇに入り込んだ外縁部１３Ｅの昇降方向に沿った移動を許容する大きさに設定されている。２つの接触部Ｋは、案内通路２１Ｇに入り込んだ外縁部１３Ｅと接触し、スクリーン１３が昇降方向に沿って昇降するとき、２つの接触部Ｋは、スクリーン１３の外縁部１３Ｅと摺接する。
【００３４】
図５の二点鎖線が示すように、前側通路形成部材２３Ｆ、および、後側通路形成部材２３Ｂの取り得る位置のうち、２つの接触部Ｋが外縁部１３Ｅの昇降を許容する位置は、第１位置の一例である案内位置である。これに対して、図５の実線が示すように、前側通路形成部材２３Ｆ、および、後側通路形成部材２３Ｂの取り得る位置のうち、２つの接触部Ｋが案内位置よりもスクリーン１３の中心側に変位した位置は、第２位置の一例である抜止位置である。
【００３５】
スクリーン１３の外縁部１３Ｅが抜け始めるとき、スクリーン１３との摩擦力に抗した反力によって、前側通路形成部材２３Ｆが案内位置から抜止位置に変位する。このとき、前側通路形成部材２３Ｆの抜止曲板２３Ｓは、それの接続部Ｃ１を支点として、スクリーン１３の中央側に張出すように曲がる。曲がった抜止曲板２３Ｓは、接触部Ｋを後側通路形成部材２３Ｂに向けて突き出す方向に弾性力を高める。また、後側通路形成部材２３Ｂもまた、案内位置から抜止位置に変位する。このとき、後側通路形成部材２３Ｂの抜止曲板２３Ｓは、それの接続部Ｃ１を支点として、スクリーン１３の中央側に張出すように曲がる。曲がった抜止曲板２３Ｓは、接触部Ｋを前側通路形成部材２３Ｆに向けて突き出す方向に弾性力を高める。前側通路形成部材２３Ｆ、および、後側通路形成部材２３Ｂは、各々の弾性変形を通じて、案内位置と抜止位置とに動く、すなわち、変位するように構成されている。
【００３６】
［ロールスクリーンの作用］
次に、上記構成からなるロールスクリーンの作用を説明する。
図５の二点鎖線が示すように、スクリーン１３の外縁部１３Ｅが案内通路２１Ｇに入り込んだ状態にて、前側通路形成部材２３Ｆ、および、後側通路形成部材２３Ｂは、それぞれ案内位置に位置する。この状態にて、スクリーン１３の外縁部１３Ｅを中央側へ抜くような外力Ｆａが、スクリーン１３に作用すると、スクリーン１３の外縁部１３Ｅは、案内通路２１Ｇから徐々に抜け始める。
【００３７】
この際に、スクリーン１３の外縁部１３Ｅが、スクリーン１３の外縁部側から中央側へ動くと、前側通路形成部材２３Ｆの接触部Ｋが、スクリーン１３の外縁部側から中央側へ動くように、摩擦力に抗した反力が、前側通路形成部材２３Ｆの抜止曲板２３Ｓに作用する。また、後側通路形成部材２３Ｂの接触部Ｋが、スクリーン１３の外縁部側から中央側へ動くように、これもまた、摩擦力に抗した反力が、後側通路形成部材２３Ｂの抜止曲板２３Ｓに作用する。
【００３８】
そして、案内位置に位置する前側通路形成部材２３Ｆは、それの接続部Ｃ１を支点として、抜止曲板２３Ｓをスクリーン１３の中央側に張出すように曲げながら、接触部Ｋをスクリーン１３の中央側へ変位させる。これによって、前側通路形成部材２３Ｆの抜止曲板２３Ｓは、接触部Ｋを後側通路形成部材２３Ｂに向けて突き出すように弾性力を高める。また、案内位置に位置する後側通路形成部材２３Ｂは、それの接続部Ｃ１を支点として、抜止曲板２３Ｓをスクリーン１３の中央側に張出すように曲げながら、接触部Ｋをスクリーン１３の中央側へ変位させる。これによって、前側通路形成部材２３Ｆの抜止曲板２３Ｓは、接触部Ｋを後側通路形成部材２３Ｂに向けて突き出すように弾性力を高める。結果として、前側通路形成部材２３Ｆ、および、後側通路形成部材２３Ｂは、案内通路２１Ｇから抜ける途中のスクリーン１３に追従して案内位置から抜止位置へ変位し、外縁部１３Ｅに対する保持力として押圧力を案内位置よりも高める。そして、互いに対向する２つの接触部Ｋが、抜け出る途中の外縁部１３Ｅを、高められた押圧力で押圧し、その外縁部１３Ｅを挟み込む。これによって、スクリーン１３が案内レール２１から抜けることが抑えられる。
【００３９】
なお、外縁部１３Ｅに加わる押圧によって、外縁部１３Ｅは摩擦力を受け、スクリーン１３がこの摩擦力を越える張力を更に受けるとき、抜止位置に変位した前側通路形成部材２３Ｆ、および、後側通路形成部材２３Ｂは、これらの隙間からスクリーン１３が抜けることを許容する。
【００４０】
上記第１実施形態のロールスクリーンによれば以下に列挙する効果が得られる。
（１）前側通路形成部材２３Ｆと後側通路形成部材２３Ｂとの間の隙間からスクリーン１３の外縁部１３Ｅが抜け始めるとき、前側通路形成部材２３Ｆ、および、後側通路形成部材２３Ｂの各々は、スクリーン１３と接触しながらスクリーン１３に追従して変形する。そして、前側通路形成部材２３Ｆ、および、後側通路形成部材２３Ｂの各々は、案内位置から、外縁部１３Ｅに対する押圧力を高める抜止位置へ変位する。それゆえに、前側通路形成部材２３Ｆと後側通路形成部材２３Ｂとの間の隙間から外縁部１３Ｅの全てが抜けること、ひいては、案内レール２１からスクリーン１３が抜けることが抑えられる。
【００４１】
（２）前側通路形成部材２３Ｆ、および、後側通路形成部材２３Ｂは、スクリーン１３に追従して弾性変形し、その弾性変形による弾性力によって、外縁部１３Ｅに対する押圧力を高める。そして、前側通路形成部材２３Ｆの弾性変形の度合い、および、後側通路形成部材２３Ｂの弾性変形の度合いが大きいほど、すなわち、外縁部１３Ｅの抜ける度合いが大きいほど、大きい押圧力が外縁部１３Ｅに対して加わる。この際に、スクリーン１３に作用する外力Ｆａが大きいほど、外縁部１３Ｅの抜ける度合いは大きい。それゆえに、上述した構成であれば、スクリーン１３に作用する外力Ｆａに即した押圧力が外縁部１３Ｅに加わり、スクリーン１３に作用する押圧力が外力Ｆａに対して過大になること、あるいは、スクリーン１３に作用する押圧力が外力Ｆａに対して過小になることも抑えられる。
【００４２】
（３）前側通路形成部材２３Ｆ、および、後側通路形成部材２３Ｂの両方が、案内位置と抜止位置とに変位する。それゆえに、外力Ｆａを受ける外縁部１３Ｅが、ロールスクリーンの前側に向けて抜ける途中であれ、外力Ｆａを受ける外縁部１３Ｅが、ロールスクリーンの後側に向けて抜ける途中であれ、同じ程度の押圧力によってスクリーン１３の抜けが抑えられる。
【００４３】
（４）前側通路形成部材２３Ｆの抜止曲板２３Ｓは、それの接触部Ｋを接続部Ｃ１よりもスクリーン１３の外縁部側に位置させる半円筒形状を有する。後側通路形成部材２３Ｂの抜止曲板２３Ｓもまた、それの接触部Ｋを接続部Ｃ１よりもスクリーン１３の外縁部側に位置させる半円筒形状を有する。それゆえに、前側通路形成部材２３Ｆと後側通路形成部材２３Ｂとの間の隙間から外縁部１３Ｅの全体が抜けたとしても、前側通路形成部材２３Ｆと後側通路形成部材２３Ｂとの間に向けて外縁部１３Ｅが差し込まれるときに、スクリーン１３の外縁部１３Ｅは、半円筒面に沿って、前側通路形成部材２３Ｆと後側通路形成部材２３Ｂとの境目に到達する。したがって、前側通路形成部材２３Ｆと後側通路形成部材２３Ｂとの間にスクリーン１３の外縁部１３Ｅを差し込むことが容易でもある。
【００４４】
上記第１実施形態のロールスクリーンは、以下のように変形することも可能である。
・可動部は、前側通路形成部材２３Ｆと後側通路形成部材２３Ｂとの両方に限らず、前側通路形成部材２３Ｆと後側通路形成部材２３Ｂのいずれか一方でもよい。
【００４５】
例えば、後側通路形成部材２３Ｂは、それの抜止曲板２３Ｓの表面形状に相当する固定の対向面を備え、後側通路形成部材２３Ｂが有するその対向面と、前側通路形成部材２３Ｆが有する抜止曲板２３Ｓとによって、スクリーン１３の外縁部１３Ｅが挟まれてもよい。あるいは、前側通路形成部材２３Ｆは、それの抜止曲板２３Ｓの表面形状に相当する固定の対向面を備え、前側通路形成部材２３Ｆが有するその対向面と、後側通路形成部材２３Ｂが有する抜止曲板２３Ｓとによって、スクリーン１３の外縁部１３Ｅが挟まれてもよい。こうした構成であっても、上記（１）（２）（４）に準じた効果は得られる。
【００４６】
・抜止曲板２３Ｓにて、スクリーン１３の外縁部側の端部は、自由端に限らず、それの移動がスクリーン１３の左右方向に沿った移動に制約される可動端であってもよい。例えば、抜止曲板２３Ｓにて、スクリーン１３の外縁部側の端部は、支持部２３Ｍに対して移動できる状態に連結されてもよい。こうした構成であっても、抜止曲板２３Ｓがスクリーン１３の中央側に向かって張出すように弾性変形する構成であれば、上記（１）〜（４）に準じた効果は得られる。
【００４７】
・前側通路形成部材２３Ｆの昇降方向に沿った長さは、前側案内壁２１Ｆの昇降方向に沿った長さよりも短くてもよい。この際に、前側案内壁２１Ｆに複数の前側通路形成部材２３Ｆが支持され、複数の前側通路形成部材２３Ｆが昇降方向に沿って並んでもよい。また、後側通路形成部材２３Ｂの昇降方向に沿った長さは、後側案内壁２１Ｂの昇降方向に沿った長さよりも短くてもよい。この際に、後側案内壁２１Ｂに複数の後側通路形成部材２３Ｂが支持され、複数の後側通路形成部材２３Ｂが昇降方向に沿って並んでもよい。こうした構成であれば、外縁部１３Ｅの特定部位が外力Ｆａを受ける際に、その特定部位と接触する前側通路形成部材２３Ｆのみ、あるいは、その特定部位と接触する後側通路形成部材２３Ｂのみが変位する。結果として、昇降方向に沿って並ぶ複数の可動部材のうち、スクリーン１３の抜けを止めるために必要な可動部材のみが可動するため、スクリーン１３の抜けを止めるために必要な可動部材の可動負荷が軽減される。
【００４８】
・前側通路形成部材２３Ｆと後側通路形成部材２３Ｂとの中間を通る鉛直面に対して、前側通路形成部材２３Ｆの有する形状と、後側通路形成部材２３Ｂの有する形状とは、互いに面対称でなくてもよい。例えば、前側通路形成部材２３Ｆの抜止曲板２３Ｓと、後側通路形成部材２３Ｂの抜止曲板２３Ｓとは、２つの接触部Ｋが外縁部１３Ｅを挟み込める範囲にて、ロールスクリーンの左右方向にて互いに異なる位置に配置されてもよい。こうした構成であっても、上記（１）〜（４）に準じた効果は得られる。
【００４９】
［第２実施形態］
本開示の日射遮蔽装置をロールスクリーンに具体化した第２実施形態のロールスクリーンを図６および図７を参照して説明する。第２実施形態のロールスクリーンと、第１実施形態のロールスクリーンとは、互いに異なる構成からなる通路形成部材を備える。以下では、第１実施形態のロールスクリーンと異なる構成を主に説明し、第１実施形態のロールスクリーンの構成に対応する構成に同じ符号を付してそれの説明を省略する。
【００５０】
［ロールスクリーンの構成］
図６が示すように、挟持部を構成する前側通路形成部材３３Ｆは、前側案内壁２１Ｆの内側面に支持され、また、挟持部を構成する後側通路形成部材３３Ｂは、後側案内壁２１Ｂの内側面に支持されている。可動部は、１又は複数の可動部材から構成されている。可動部材の一例である前側通路形成部材３３Ｆと、可動部材の一例である後側通路形成部材３３Ｂとは、前側通路形成部材３３Ｆと後側通路形成部材３３Ｂとの中間を通る鉛直面に対して、互いに面対称となる形状を有している。そのため、以下では、前側通路形成部材３３Ｆを詳細に説明し、後側通路形成部材３３Ｂにて前側通路形成部材３３Ｆと重複する構成の説明を省略する。
【００５１】
前側通路形成部材３３Ｆは、前側案内壁２１Ｆに固定される支持部３３Ｍを備え、支持部３３Ｍは、前側案内壁２１Ｆにおける昇降方向のほぼ全体にわたる柱形状を有している。なお、可動部と案内レール２１が一体に成形された構造であってもよい。また、前側通路形成部材３３Ｆの支持部３３Ｍは、前側案内壁２１Ｆと一体に形成され、前側案内壁２１Ｆの一部によって構成されてもよい。支持部３３Ｍは、昇降方向から見て勾玉形状を有した抜止カム３３Ｓを、回転できる状態に支持している。抜止カム３３Ｓは、支持部３３Ｍから後側通路形成部材２３Ｂに向かって突き出る勾玉形状を有し、後側通路形成部材２３Ｂに向かって突き出る勾玉形状を、前側案内壁２１Ｆにおける昇降方向のほぼ全体にわたり有している。
【００５２】
抜止カム３３Ｓのカム面は、昇降方向から見て、後側通路形成部材２３Ｂに向かって突き出る湾曲面である。抜止カム３３Ｓは、昇降方向に沿って延びる中心軸Ｃ２を揺動中心としてカム面を揺動するように構成されている。
【００５３】
図７の二点鎖線が示すように、前側通路形成部材３３Ｆの取り得る位置、すなわち、抜止カム３３Ｓの取り得る位置のうち、抜止カム３３Ｓのカム面が最も外縁部側である位置は、第１位置の一例である案内位置である。これに対して、図７の実線が示すように、前側通路形成部材３３Ｆの取り得る位置、すなわち、抜止カム３３Ｓの取り得る位置のうち、抜止カム３３Ｓのカム面が案内位置よりもスクリーン１３の中心側に変位した位置は、第２位置の一例である抜止位置である。
【００５４】
なお、支持部３３Ｍは、案内位置でのカム面がそれよりも外縁部側に変位することを、支持部３３Ｍの規制部３３Ｄと抜止カム３３Ｓとの当接によって規制する。
前側通路形成部材３３Ｆが案内位置に位置するとき、抜止カム３３Ｓのカム面にて、最も後側、すなわち、最も後側通路形成部材３３Ｂに近い部位は、外縁部１３Ｅと対向する対向部分としての接触部Ｋである。また、後側通路形成部材３３Ｂが案内位置に位置するとき、抜止カム３３Ｓのカム面にて、最も前側、すなわち、最も前側通路形成部材３３Ｆに近い部位は、これもまた、外縁部１３Ｅと対向する対向部分としての接触部Ｋである。これら２つの接触部Ｋは、互いに対向している。２つの接触部Ｋは、ロールスクリーンの左右方向において、中心軸Ｃ２よりもスクリーン１３の外縁部側に位置している。
【００５５】
案内通路２１Ｇは、前側通路形成部材３３Ｆの抜止カム３３Ｓと、後側通路形成部材３３Ｂの抜止カム３３Ｓとの間の空間である隙間によって構成され、２つの接触部Ｋの間の隙間は、スクリーン１３の厚さ以下に設定されている。２つの接触部Ｋの間の隙間は、案内通路２１Ｇに入り込んだ外縁部１３Ｅの昇降方向に沿った移動を許容する大きさに設定されている。２つの接触部Ｋは、案内通路２１Ｇに入り込んだ外縁部１３Ｅと接触し、スクリーン１３が昇降方向に沿って昇降するとき、２つの接触部Ｋは、スクリーン１３の外縁部１３Ｅと摺接する。前側通路形成部材３３Ｆ、および、後側通路形成部材３３Ｂのいずれにおいても、抜止カム３３Ｓが抜止位置に位置する状態では、抜止カム３３Ｓが案内位置に位置する状態よりも、それの中心軸Ｃ２と接触部Ｋとの間の距離は大きい。
【００５６】
前側通路形成部材３３Ｆが案内位置から抜止位置に変位するとき、前側通路形成部材３３Ｆの抜止カム３３Ｓは、それの中心軸Ｃ２を回転中心として、スクリーン１３の中央側に向けてカム面を回す。スクリーン１３の中央側に向けて回るカム面は、接触部Ｋを後側通路形成部材３３Ｂに向けて突き出す方向に変位する。また、後側通路形成部材３３Ｂが案内位置から抜止位置に変位するとき、後側通路形成部材３３Ｂの抜止カム３３Ｓは、それの中心軸Ｃ２を回転中心として、スクリーン１３の中央側に向けてカム面を回す。スクリーン１３の中央側に向けて回るカム面は、接触部Ｋを前側通路形成部材３３Ｆに向けて突き出す方向に変位する。前側通路形成部材３３Ｆ、および、後側通路形成部材３３Ｂは、各々の揺動を通じて、案内位置と抜止位置とに動く、すなわち、変位するように構成されている。
【００５７】
［ロールスクリーンの作用］
次に、上記構成からなるロールスクリーンの作用を説明する。
図７の二点鎖線が示すように、スクリーン１３の外縁部１３Ｅが、案内通路２１Ｇに入り込んだ状態にて、前側通路形成部材３３Ｆ、および、後側通路形成部材３３Ｂは、それぞれ案内位置に位置する。この状態にて、スクリーン１３の外縁部１３Ｅを中央側へ抜くような外力Ｆａが、スクリーン１３に作用すると、スクリーン１３の外縁部１３Ｅは、案内通路２１Ｇから徐々に抜け始める。
【００５８】
この際に、スクリーン１３の外縁部１３Ｅが、スクリーン１３の外縁部側から中央側へ動くと、前側通路形成部材３３Ｆの接触部Ｋが、スクリーン１３の外縁部側から中央側へ動くように、摩擦力に抗した反力が、前側通路形成部材３３Ｆの抜止カム３３Ｓのカム面に作用する。また、後側通路形成部材３３Ｂの接触部Ｋが、スクリーン１３の外縁部側から中央側へ動くように、これもまた、摩擦力に抗した反力が、後側通路形成部材３３Ｂの抜止カム３３Ｓのカム面に作用する。
【００５９】
そして、案内位置に位置する前側通路形成部材３３Ｆの抜止カム３３Ｓは、それの中心軸Ｃ２を回転中心として、カム面をスクリーン１３の中央側に向かって回す。そして、前側通路形成部材３３Ｆの抜止カム３３Ｓは、それの接触部Ｋを後側通路形成部材３３Ｂに向けて突き出しながら、スクリーン１３の中央側へ変位させる。また、案内位置に位置する後側通路形成部材３３Ｂの抜止カム３３Ｓは、それの中心軸Ｃ２を回転中心として、カム面をスクリーン１３の中央側に向かって回す。そして、後側通路形成部材３３Ｂの抜止カム３３Ｓは、それの接触部Ｋを前側通路形成部材３３Ｆに向けて突き出しながら、スクリーン１３の中央側へ変位させる。結果として、前側通路形成部材３３Ｆ、および、後側通路形成部材３３Ｂは、案内通路２１Ｇから抜ける途中のスクリーン１３に追従して案内位置から抜止位置へ変位し、外縁部１３Ｅに対する保持力として押圧力を案内位置よりも高める。そして、互いに対向する２つの接触部Ｋが、抜け出る途中の外縁部１３Ｅを、高められた押圧力で押圧し、その外縁部１３Ｅを挟み込む。これによって、スクリーン１３が案内レール２１から抜けることが抑えられる。
【００６０】
なお、外縁部１３Ｅに加わる押圧によって、外縁部１３Ｅは摩擦力を受け、スクリーン１３がこの摩擦力を越える張力を更に受けるとき、抜止位置に変位した前側通路形成部材３３Ｆ、および、後側通路形成部材３３Ｂは、これらの隙間からスクリーン１３が抜けることを許容する。
【００６１】
上記第２実施形態のロールスクリーンによれば、上記（１）〜（４）に準じた効果に加えて、以下に列挙する効果が得られる。
（５）スクリーン１３に追従する抜止カム３３Ｓは、昇降方向に沿って延びる中心軸Ｃ２を中心として回る。この際に、外縁部１３Ｅの昇降方向に沿った昇降と、抜止カム３３Ｓの回転とは、互いに直交する方向への動きであるため、昇降するスクリーン１３と抜止カム３３Ｓとが接触しても、抜止カム３３Ｓは回りがたい。それゆえに、抜止カム３３Ｓの案内位置での案内と、抜止カム３３Ｓの抜止位置での抜止との確実性が高められる。
【００６２】
（６）前側通路形成部材３３Ｆの抜止カム３３Ｓは、それのカム面を中心軸Ｃ２よりもスクリーン１３の外縁部側に位置させる勾玉形状を有する。後側通路形成部材３３Ｂの抜止カム３３Ｓもまた、それのカム面を中心軸Ｃ２よりもスクリーン１３の外縁部側に位置させる勾玉形状を有する。それゆえに、前側通路形成部材３３Ｆと後側通路形成部材３３Ｂとの間の隙間から外縁部１３Ｅの全体が抜けたとしても、前側通路形成部材３３Ｆと後側通路形成部材３３Ｂとの間に向けて外縁部１３Ｅが差し込まれるときに、スクリーン１３の外縁部１３Ｅは、カム面に沿って、前側通路形成部材３３Ｆと後側通路形成部材３３Ｂとの境目に到達する。したがって、前側通路形成部材３３Ｆと後側通路形成部材３３Ｂとの間にスクリーン１３の外縁部１３Ｅを差し込むことが容易でもある。
【００６３】
上記第２実施形態のロールスクリーンは、以下のように変形することも可能である。
・可動部は、前側通路形成部材３３Ｆと後側通路形成部材３３Ｂとの両方に限らず、前側通路形成部材３３Ｆと後側通路形成部材３３Ｂのいずれか一方でもよい。
【００６４】
例えば、後側通路形成部材３３Ｂは、それの抜止カム３３Ｓのカム面形状に相当する固定の対向面を備え、後側通路形成部材３３Ｂが有するその対向面と、前側通路形成部材３３Ｆが有する抜止カム３３Ｓとによって、スクリーン１３の外縁部１３Ｅが挟まれてもよい。あるいは、前側通路形成部材３３Ｆは、それの抜止カム３３Ｓのカム面形状に相当する固定の対向面を備え、前側通路形成部材３３Ｆが有するその対向面と、後側通路形成部材３３Ｂが有する抜止カム３３Ｓとによって、スクリーン１３の外縁部１３Ｅが挟まれてもよい。こうした構成であっても、上記（５）（６）に準じた効果は得られる。
【００６５】
・抜止カム３３Ｓの有する形状は、昇降方向から見て勾玉形状に限らず、昇降方向から見て楕円形状であってもよく、また、抜止カム３３Ｓは、昇降方向から見て円形状である偏心カムであってもよい。要するに、抜止カム３３Ｓの有する形状は、抜止カム３３Ｓが抜止位置に位置する状態にて、抜止カム３３Ｓが案内位置に位置する状態よりも、接触部Ｋと中心軸Ｃ２との間の距離が大きくなる形状であればよい。こうした構成であれば、上記（５）（６）に準じた効果は得られる。
【００６６】
・抜止カム３３Ｓの昇降方向に沿った長さは、前側案内壁２１Ｆの昇降方向に沿った長さよりも短くてもよいし、後側案内壁２１Ｂの昇降方向に沿った長さよりも短くてもよい。この際に、前側案内壁２１Ｆ、あるいは、後側案内壁２１Ｂに複数の抜止カム３３Ｓが支持され、複数の抜止カム３３Ｓが昇降方向に沿って並んでもよい。こうした構成であれば、外縁部１３Ｅの特定部位が外力Ｆａを受ける際に、その特定部位と接触する抜止カム３３Ｓのみが変位する。結果として、昇降方向に並ぶ複数の可動部材のうち、スクリーン１３の抜けを止めるために必要な可動部材のみが可動するため、スクリーン１３の抜けを止めるために必要な可動部材の可動負荷が軽減される。
【００６７】
・前側通路形成部材３３Ｆと後側通路形成部材３３Ｂとの中間を通る鉛直面に対して、前側通路形成部材３３Ｆの有する形状と、後側通路形成部材３３Ｂの有する形状とは、互いに面対称でなくてもよい。例えば、前側通路形成部材３３Ｆの抜止カム３３Ｓと、後側通路形成部材３３Ｂの抜止カム３３Ｓとは、２つの接触部Ｋが外縁部１３Ｅを挟み込める範囲にて、ロールスクリーンの左右方向にて互いに異なる位置に配置されてもよい。こうした構成であっても、上記（５）（６）に準じた効果は得られる。
【００６８】
・前側通路形成部材３３Ｆの抜止カム３３Ｓ、および、後側通路形成部材３３Ｂの抜止カム３３Ｓの少なくとも一方は、可撓性を有する弾性部材であってもよいし、可撓性を有しない部材であってもよい。
【００６９】
・抜止カム３３Ｓのカム面は、複数の凸部、あるいは、複数の凹部がカム面に沿って並ぶ凹凸面であってもよい。
［第３実施形態］
本開示の日射遮蔽装置をロールスクリーンに具体化した第３実施形態のロールスクリーンを図８〜図１１を参照して説明する。第３実施形態のロールスクリーンと、第１実施形態のロールスクリーンとは、互いに異なる構成からなる通路形成部材を備える。以下では、第１実施形態のロールスクリーンと異なる構成を主に説明し、第１実施形態のロールスクリーンの構成に対応する構成に同じ符号を付してそれの説明を省略する。
【００７０】
［ロールスクリーンの構成］
図８が示すように、挟持部を構成する前側通路形成部材４３Ｆは、前側案内壁２１Ｆの内側面に支持され、また、挟持部を構成する後側通路形成部材４３Ｂは、後側案内壁２１Ｂの内側面に支持されている。可動部は、１又は複数の可動部材から構成されている。可動部材の一例である前側通路形成部材４３Ｆと、可動部材の一例である後側通路形成部材４３Ｂとは、前側通路形成部材４３Ｆと後側通路形成部材４３Ｂとの中間を通る鉛直面に対して、互いに面対称となる形状を有している。そのため、以下では、前側通路形成部材４３Ｆの構成を詳細に説明し、後側通路形成部材４３Ｂにて前側通路形成部材４３Ｆと重複する構成の説明を省略する。
【００７１】
前側通路形成部材４３Ｆは、前側案内壁２１Ｆに固定される支持部４３Ｍを備え、支持部４３Ｍは、前側案内壁２１Ｆにおける昇降方向のほぼ全体にわたる柱形状を有している。なお、可動部と案内レール２１が一体に成形された構造であってもよい。また、前側通路形成部材４３Ｆの支持部４３Ｍは、前側案内壁２１Ｆと一体に形成され、前側案内壁２１Ｆの一部として構成されてもよい。支持部３３Ｍは、昇降方向から見て円弧形状を有した抜止レバーカム４３Ｓを、回転できる状態に支持している。抜止レバーカム４３Ｓは、昇降方向から見て扇形状を有した出力基端部４４と、出力基端部４４からスクリーン１３の中央側に向かって延びるレバー形状を有した入力部４６とを備えている。
【００７２】
図９が示すように、前側通路形成部材４３Ｆの出力基端部４４は、中心軸Ｃ３を中心として、中心軸Ｃ３から後側通路形成部材４３Ｂに向かって広がる扇形状を有している。前側通路形成部材４３Ｆの出力基端部４４は、昇降方向において、前側案内壁２１Ｆのほぼ全体にわたりその扇形状を連続させている。出力基端部４４が中心軸Ｃ３を中心として揺動できるように、支持部４３Ｍは出力基端部４４を支持している。
【００７３】
出力基端部４４の外周面は、カム面４５であり、そのカム面４５は、中心軸Ｃ３を中心とする周方向に沿って複数の突部が並ぶように構成された凹凸形状を有している。また、カム面４５は、中心軸Ｃ３を中心とする円Ｃの径方向に沿った段差が周方向に沿って繰り返されるように構成された段差面である。
【００７４】
カム面４５と中心軸Ｃ３との間の距離であるカム径は、カム面４５にて、スクリーン１３の外縁部側に位置する部位ほど大きい。カム径の最小値は案内径Ｒであり、カム面４５にて、スクリーン１３の外縁部側に位置する部位ほど、そこでのカム径は大きい。なお、出力基端部４４の有する形状は、カム面４５にて、スクリーン１３の外縁部側に位置する部位ほどカム径が大きく、かつ、カム面４５が外縁部１３Ｅを押圧できる形状であればよい。そして、出力基端部４４にて、出力基端部４４の全体の形状やカム径などは、こうした条件が満たされる範囲で適宜変更される。前側通路形成部材４３Ｆのカム面４５のうち、最も後側、すなわち、最も後側通路形成部材４３Ｂに近い部分は対向部分Ｔであり、中心軸Ｃ３を中心としてカム面４５が回転するたびに、カム面４５にて、対向部分Ｔは変位する。
【００７５】
前側通路形成部材４３Ｆの入力部４６は、出力基端部４４からスクリーン１３の中央側、かつ、スクリーン１３の前側に向かって延びる円弧形状を有している。前側通路形成部材４３Ｆの入力部４６は、昇降方向において、前側案内壁２１Ｆのほぼ全体にわたりその円弧形状を連続させている。なお、入力部４６の有する形状は、出力基端部４４からスクリーン１３の中央側に向かって延び、かつ、スクリーン１３の面方向と交差する方向に向かってスクリーン１３が動くときに、スクリーン１３によって入力部４６が押される形状であればよい。そして、入力部４６が有する曲率半径の大小、屈曲する角度の大小、スクリーン１３の左右方向での長さの長短は、スクリーン１３が前側、あるいは、後側に変位する量、さらには、スクリーン１３が変位する際の外縁部１３Ｅの屈曲する角度に合わせて適宜設定される。例えば、入力部４６の有する曲率半径が大きいほど、入力部４６での屈曲する角度が小さいほど、さらには、スクリーン１３の左右方向において、入力部４６の長さが長いほど、小さいスクリーン１３の変位によって抜け止めが作動する。反対に、入力部４６の有する曲率半径が小さいほど、入力部４６での屈曲する角度が大きいほど、さらには、スクリーン１３の左右方向において、入力部４６の長さが短いほど、抜け止めの作動に際し、大きいスクリーン１３の変位が必要となる。こうした入力部４６と出力基端部４４とが連れ動くように、入力部４６は出力基端部４４に固定されている。
【００７６】
前側通路形成部材４３Ｆの取り得る位置、すなわち、抜止レバーカム４３Ｓの取り得る位置のうち、抜止レバーカム４３Ｓのカム面４５が最も外縁部側である位置は、第１位置の一例である案内位置である。前側通路形成部材４３Ｆが案内位置に位置するとき、対向部分Ｔと中心軸Ｃ３との間の距離は、カム径の最小値である案内径Ｒである。これに対して、前側通路形成部材４３Ｆの取り得る位置、すなわち、抜止レバーカム４３Ｓの取り得る位置のうち、抜止レバーカム４３Ｓのカム面４５が案内位置よりもスクリーン１３の中心側に変位した位置は、第２位置の一例である抜止位置である。前側通路形成部材４３Ｆが抜止位置に位置するとき、対向部分Ｔと中心軸Ｃ３との間の距離は、案内径Ｒよりも大きい。
【００７７】
なお、支持部４３Ｍは、案内位置でのカム面４５がそれよりも外縁部側に変位することを、支持部４３Ｍの規制部４３Ｄと抜止レバーカム４３Ｓとの当接によって規制する。
案内通路２１Ｇは、前側通路形成部材４３Ｆの抜止レバーカム４３Ｓと、後側通路形成部材４３Ｂの抜止レバーカム４３Ｓとの間の空間である隙間によって構成されている。２つの抜止レバーカム４３Ｓが案内位置に位置するとき、２つの抜止レバーカム４３Ｓの間の隙間は、案内通路２１Ｇに入り込んだ外縁部１３Ｅの昇降方向に沿った移動を許容する大きさに設定されている。２つの抜止レバーカム４３Ｓが抜止位置に位置するとき、２つの抜止レバーカム４３Ｓの間の隙間は、案内通路２１Ｇに入り込んだ外縁部１３Ｅをカム面４５によって押圧する大きさに設定されている。
【００７８】
［ロールスクリーンの作用］
次に、上記構成からなるロールスクリーンの作用を説明する。
図１０が示すように、スクリーン１３の外縁部１３Ｅが、案内通路２１Ｇに入り込んだ状態にて、前側通路形成部材４３Ｆ、および、後側通路形成部材４３Ｂは、それぞれ案内位置に位置する。この状態にて、スクリーン１３の面方向と交差する方向に向かう外力、例えば、スクリーン１３の中央部がスクリーン１３の前側へ張出すような外力Ｆａが、スクリーン１３に作用すると、スクリーン１３の外縁部１３Ｅは、案内通路２１Ｇから徐々に抜け始める。
【００７９】
この際に、スクリーン１３の外縁部１３Ｅが、スクリーン１３の前側へ動くと、入力部４６の一部である接触部Ｋとスクリーン１３の外縁部１３Ｅとが接触する。この状態から、スクリーン１３の外縁部１３Ｅがスクリーン１３の前側へさらに動くと、接触部Ｋがスクリーン１３に押されて、前側通路形成部材４３Ｆの入力部４６の先端が、図１０の矢印方向に沿ってスクリーン１３の前側へ動くように、入力部４６は回転する。入力部４６が中心軸Ｃ３を中心として回転すると、中心軸Ｃ３を中心として出力基端部４４も回転する。
【００８０】
図１１が示すように、中心軸Ｃ３を中心として出力基端部４４が回転すると、出力基端部４４のカム面４５は、図１１の二点鎖線が示す位置から、図１１の実線が示す位置に変位する。これによって、対向部分Ｔと中心軸Ｃ３との距離が大きくなるように、出力基端部４４のカム面４５にて、対向部分Ｔの位置が変位する。結果として、前側通路形成部材４３Ｆ、および、後側通路形成部材４３Ｂは、案内通路２１Ｇから抜ける途中のスクリーン１３に追従して案内位置から抜止位置へ変位し、外縁部１３Ｅに対する押圧を案内位置よりも高める。そして、互いに対向する２つの対向部分Ｔが、抜け出る途中の外縁部１３Ｅを、高められた押圧力で押圧し、その外縁部１３Ｅを挟み込む。これによって、スクリーン１３が案内レール２１から抜けることが抑えられる。
【００８１】
なお、外縁部１３Ｅに加わる押圧によって、外縁部１３Ｅは摩擦力を受け、スクリーン１３がこの摩擦力を越える張力を更に受けるとき、抜止位置に変位した前側通路形成部材４３Ｆ、および、後側通路形成部材４３Ｂは、これらの隙間からスクリーン１３が抜けることを許容する。
【００８２】
上記第３実施形態のロールスクリーンによれば上記（１）〜（６）に準じた効果に加えて以下に列挙する効果が得られる。
（７）スクリーン１３の面方向と交差する方向に向かってスクリーン１３が変位するとき、スクリーン１３の変位量は、案内レール２１に入り込んでいる外縁部１３Ｅよりも、スクリーン１３の中央側にて大きい。それゆえに、カム面４５よりもスクリーン１３の中央側に位置する入力部４６は、こうしたスクリーン１３の変位をカム面４５よりも検出しやすい。そして、スクリーン１３の面方向と交差する方向に向かって動くスクリーン１３が、入力部４６を押し、これによってカム面４５が回るため、スクリーン１３の張出しに対して、スクリーン１３の抜止めの精度が高められる。
【００８３】
（８）外縁部１３Ｅを押圧するカム面４５が凹凸面であるため、カム面４５が外縁部１３Ｅを押圧するとき、外縁部１３Ｅに作用する押圧力は、複数の突部の各々に集中する。それゆえに、カム面４５から外縁部１３Ｅに作用する押圧力が等しい前提では、外縁部１３Ｅの単位面積当たりの押圧力が高まるため、前側通路形成部材４３Ｆと後側通路形成部材４３Ｂとの間の隙間から外縁部１３Ｅが抜けることが、さらに抑えられる。
【００８４】
（９）前側通路形成部材４３Ｆの抜止レバーカム４３Ｓは、それのカム面４５を入力部４６よりもスクリーン１３の外縁部側に位置させる。後側通路形成部材４３Ｂの抜止レバーカム４３Ｓもまた、それのカム面４５を入力部４６よりもスクリーン１３の外縁部側に位置させる。そして、前側通路形成部材４３Ｆの入力部４６は、カム面４５からスクリーン１３の中央側、かつ、スクリーン１３の前側に向かって延びる円弧形状を有している。また、後側通路形成部材４３Ｂの入力部４６は、カム面４５からスクリーン１３の中央側、かつ、スクリーン１３の後側に向かって延びる円弧形状を有している。それゆえに、前側通路形成部材４３Ｆと後側通路形成部材４３Ｂとの間の隙間から外縁部１３Ｅの全体が抜けたとしても、前側通路形成部材４３Ｆと後側通路形成部材４３Ｂとの間に向けて外縁部１３Ｅが差し込まれるときに、スクリーン１３の外縁部１３Ｅは、カム面４５に沿って、前側通路形成部材４３Ｆと後側通路形成部材４３Ｂとの境目に到達する。したがって、前側通路形成部材４３Ｆと後側通路形成部材４３Ｂとの間にスクリーン１３の外縁部１３Ｅを差し込むことが容易でもある。
【００８５】
上記第３実施形態のロールスクリーンは、以下のように変形することも可能である。
・可動部は、前側通路形成部材４３Ｆと後側通路形成部材４３Ｂとの両方に限らず、前側通路形成部材４３Ｆと後側通路形成部材４３Ｂのいずれか一方でもよい。
【００８６】
例えば、後側通路形成部材４３Ｂは、それの出力基端部４４のカム面形状に相当する固定の対向面を備え、後側通路形成部材４３Ｂが有するその対向面と、前側通路形成部材４３Ｆが有する抜止レバーカム４３Ｓとによって、スクリーン１３の外縁部１３Ｅが挟まれてもよい。あるいは、前側通路形成部材２３Ｆは、それの出力基端部４４のカム面形状に相当する固定の対向面を備え、前側通路形成部材４３Ｆが有するその対向面と、後側通路形成部材４３Ｂが有する抜止レバーカム４３Ｓとによって、スクリーン１３の外縁部１３Ｅが挟まれてもよい。こうした構成であっても、上記（７）〜（９）に準じた効果は得られる。
【００８７】
・出力基端部４４の有する形状は、昇降方向から見て扇形状に限らず、昇降方向から見て楕円形状であってもよく、また、出力基端部４４は、昇降方向から見て円形状である偏心カムであってもよい。要するに、出力基端部４４の有する形状は、出力基端部４４が抜止位置に位置する状態にて、出力基端部４４が案内位置に位置する状態よりも、対向部分Ｔと中心軸Ｃ３との間の距離が大きくなる形状であればよい。こうした構成であれば、上記（７）〜（９）に準じた効果は得られる。
【００８８】
・抜止レバーカム４３Ｓの昇降方向に沿った長さは、前側案内壁２１Ｆの昇降方向に沿った長さよりも短くてもよいし、後側案内壁２１Ｂの昇降方向に沿った長さよりも短くてもよい。この際に、前側案内壁２１Ｆ、あるいは、後側案内壁２１Ｂに複数の抜止レバーカム４３Ｓが支持され、複数の抜止レバーカム４３Ｓが昇降方向に沿って並んでもよい。こうした構成であれば、外縁部１３Ｅの特定部位が外力Ｆａを受ける際に、その特定部位と接触する抜止レバーカム４３Ｓのみが変位する。結果として、昇降方向に並ぶ複数の可動部材のうち、スクリーン１３の抜けを止めるために必要な可動部材のみが可動するため、スクリーン１３の抜けを止めるために必要な可動部材の可動負荷が軽減される。
【００８９】
・前側通路形成部材４３Ｆと後側通路形成部材４３Ｂとの中間を通る鉛直面に対して、前側通路形成部材４３Ｆの有する形状と、後側通路形成部材４３Ｂの有する形状とは、互いに面対称でなくてもよい。例えば、前側通路形成部材４３Ｆの抜止レバーカム４３Ｓと、後側通路形成部材４３Ｂの抜止レバーカム４３Ｓとは、２つの対向部分Ｔが外縁部１３Ｅを挟み込める範囲にて、ロールスクリーンの左右方向にて互いに異なる位置に配置されてもよい。こうした構成であっても、上記（７）〜（９）に準じた効果は得られる。
【００９０】
・前側通路形成部材４３Ｆと後側通路形成部材４３Ｂとは、カム面４５の凸部同士が対向するような構成に限らず、一方のカム面４５の凸部と、他方のカム面４５の凹部とが隙間を空けて噛み合うように構成されてもよい。こうした構成であれば、上記（７）〜（９）に準じた効果に加えて、カム面４５の間から外縁部１３Ｅが抜けることが、さらに抑えられる。
【００９１】
・前側通路形成部材４３Ｆの抜止レバーカム４３Ｓ、および、後側通路形成部材４３Ｂの抜止レバーカム４３Ｓの少なくとも一方は、可撓性を有する弾性部材であってもよいし、可撓性を有しない部材であってもよい。
【００９２】
・抜止レバーカム４３Ｓのカム面４５は、複数の凸部、あるいは、複数の凹部がカム面に沿って並ぶ凹凸面に限らず、平坦面であってもよい。
上述した各実施形態、および、各変形例は、以下のように変形することも可能である。
【００９３】
・１つの案内レール２１は、第１実施形態とその変形例に記載される通路形成部材、第２実施形態とその変形例に記載される通路形成部材、および、第３実施形態とその変形例に記載される通路形成部材の少なくとも１つを備える構成であればよい。例えば、１つの案内レール２１が、第１実施形態に記載される通路形成部材と、第２に実施形態に記載される通路形成部材とを備えてもよいし、第１実施形態に記載される通路形成部材と、第３実施形態に記載される通路形成部材とを備えてもよい。また、例えば、１つの案内レール２１が、第２実施形態に記載される通路形成部材と、第３実施形態に記載される通路形成部材とを備えてもよい。
【００９４】
・ロールスクリーンは、２つの案内レール２１の少なくとも一方に、上述の通路形成部材を備える構成であればよい。
・ロールスクリーンの左右方向において、案内レール２１の有する幅Ｗは以下のように設定されることが好ましい。
【００９５】
図１２が示すように、案内レール２１の内側辺２１ｉにて昇降方向の上側の端部と、巻取軸１２の端部とを結ぶ直線をスクリーン案内線Ｌとする。また、案内レール２１の外側辺２１ｏとスクリーン案内線Ｌとのなす角度を案内角θとする。そして、案内角θが２５°未満であるように、案内レール２１の有する幅Ｗが設定されることが好ましい。また、案内角θが１７°以下であるように、案内レール２１の有する幅Ｗが設定されることがより好ましい。こうした構成であれば、案内レール２１から外れた外縁部１３Ｅが、内側辺２１ｉに摺接しながら巻取軸１２に巻き取られるとしても、通常巻取られる形式に対して外縁部１３Ｅが裏返しとなって巻き取られることが抑えられる。
【００９６】
［第４実施形態］
本開示の日射遮蔽装置をロールスクリーンに具体化した第４実施形態のロールスクリーンについて図１３を参照して説明する。第４実施形態のロールスクリーンと、第１実施形態のロールスクリーンとは、互いに異なる構成からなるスクリーンの外縁部を備えている。以下では、第１実施形態のロールスクリーンと異なる構成を主に説明し、第１実施形態のロールスクリーンの構成に対応する構成に同じ符号を付してそれの説明を省略する。
【００９７】
［ロールスクリーンの構成］
図１３が示すように、ロールスクリーンにおけるスクリーン１３は、スクリーン本体１３Ｂと、複数の左側外縁部１３ＥＬと、複数の右側外縁部１３ＥＲとを備えている。複数の左側外縁部１３ＥＬの各々は、スクリーン本体１３Ｂの左側縁からスクリーン本体１３Ｂの左側に向かって延びている。複数の右側外縁部１３ＥＲの各々は、スクリーン本体１３Ｂの右側縁からスクリーン本体１３Ｂの右側に向かって延びている。複数の左側外縁部１３ＥＬの各々と、複数の右側外縁部１３ＥＲの各々とは、例えば、スクリーン本体１３Ｂに固定された樹脂などの材料からなる棒材や板材に具体化される。なお、図１３においては、ロールスクリーンの一部を切り欠いて部材間の前後方向の位置の関係を示す便宜上、左側外縁部１３ＥＬと右側外縁部１３ＥＲの一部が割愛されているが、これらは、スクリーン本体１３Ｂの昇降方向に沿って隙間を空けてスクリーン本体１３Ｂの昇降方向の全体にわたり並んでいる。
【００９８】
複数の左側外縁部１３ＥＬの各々は、スクリーン本体１３Ｂの左側に位置する左側の案内レール２１において、前側通路形成部材２３Ｆと後側通路形成部材２３Ｂとの間の空間である案内通路２１Ｇに導入されている。複数の右側外縁部１３ＥＲの各々は、スクリーン本体１３Ｂの右側に位置する右側の案内レール２１において、前側通路形成部材２３Ｆと後側通路形成部材２３Ｂとの間の空間である案内通路２１Ｇに導入されている。
【００９９】
こうした構成においても、前側通路形成部材２３Ｆと後側通路形成部材２３Ｂとの間の隙間から各外縁部１３ＥＬ，１３ＥＲが抜け始めるとき、前側通路形成部材２３Ｆと後側通路形成部材２３Ｂとは、各外縁部１３ＥＬ，１３ＥＲに接触しながらスクリーン本体１３Ｂに追従して変形する。結果として、前側通路形成部材２３Ｆ、および、後側通路形成部材２３Ｂの各々は、案内位置から、各外縁部１３ＥＬ，１３ＥＲに対する保持力として押圧力を高める抜止位置へ変位する。そして、前側通路形成部材２３Ｆと後側通路形成部材２３Ｂとの間の隙間から各外縁部１３ＥＬ，１３ＥＲの全てが逸脱すること、ひいては、案内レール２１からスクリーン１３が逸脱することが抑えられる。
【０１００】
上記第４実施形態のロールスクリーンは、以下のように変形することも可能である。
・可動部は、他の実施形態と同じく、前側通路形成部材２３Ｆと後側通路形成部材２３Ｂとの両方に限らず、前側通路形成部材２３Ｆと後側通路形成部材２３Ｂのいずれか一方でもよい。
【０１０１】
・前側通路形成部材２３Ｆと後側通路形成部材２３Ｂとは、第２実施形態に記載の前側通路形成部材３３Ｆと後側通路形成部材３３Ｂとから構成されてもよいし、第３実施形態に記載の前側通路形成部材４３Ｆと後側通路形成部材４３Ｂとから構成されてもよい。また、案内レールは、これらの組み合わせであってもよい。
【０１０２】
・図１４が示すように、日射遮蔽装置は、ロールスクリーンに限らず、横型プリーツスクリーンであってもよい。この際、スクリーン本体１３Ｂにおいて各外縁部１３ＥＬ，１３ＥＲの接続する位置は、プリーツスクリーンの折り目１３Ｋであってもよいし、折り目１３Ｋでなくともよい。なお、スクリーン本体１３Ｂにおいて各外縁部１３ＥＬ，１３ＥＲの接続する位置は、プリーツスクリーンの昇降に際して前後方向に変位しない部位であることが好ましい。こうした構成であれば、プリーツスクリーンが案内レールから逸脱することが抑えられ、かつ、前側通路形成部材４３Ｆや後側通路形成部材４３Ｂと、各外縁部１３ＥＬ，１３ＥＲとの間の摩擦などによってプリーツクリーンの折り畳みが円滑に進まなくなることも抑えられる。
【０１０３】
［第５実施形態］
本開示の日射遮蔽装置を縦型スクリーンに具体化した第５実施形態の縦型スクリーンについて図１５を参照して説明する。第５実施形態の縦型スクリーンと、第４実施形態のロールスクリーンとの間では、スクリーンの案内される方向が主に互いに異なる。以下では、第４実施形態のロールスクリーンと異なる構成を主に説明し、第４実施形態のロールスクリーンの構成に対応する構成に同じ符号を付してそれの説明を省略する。
【０１０４】
［縦型スクリーンの構成］
図１５が示すように、縦型スクリーンの備える支持部材５１は、建物の壁面や天井面などに支持され、開閉方向の一例である左右方向に沿って延びるガイドレール５２、ガイドレール５２に垂下されてガイドレール５２の延在方向に沿って移動することの可能なランナー５３、および、案内レール２１を備えている。第５実施形態における案内レール２１は、第４実施形態における案内レール２１の延在方向を左右方向に変換した構成であって、スクリーン１３の前側に位置する前側通路形成部材２３Ｆと、スクリーン１３の後側に位置する後側通路形成部材２３Ｂとを備えている。こうした支持部材は、例えば、カーテンレールなどに具体化される。
【０１０５】
スクリーン１３は、ランナー５３に垂下されるスクリーンであって、ランナー５３と共に左右方向に沿って移動する。スクリーン１３は、スクリーン本体１３Ｂと、複数の上側外縁部１３ＥＵとを備えている。複数の上側外縁部１３ＥＵの各々は、スクリーン本体１３Ｂからスクリーン本体１３Ｂの上側に向かって延びている。複数の上側外縁部１３ＥＵの各々は、第４実施形態における各外縁部１３ＥＬ，１３ＥＲと同じく、例えば、スクリーン本体１３Ｂの上側縁に固定された樹脂などの材料からなる棒材や板材に具体化される。なお、図１５においては、縦型スクリーンの一部を切り欠いて部材間の前後方向の位置の関係を示す便宜上、複数の上側外縁部１３ＥＵの一部が割愛されているが、これらは、スクリーン本体１３Ｂの左右方向に沿って隙間を空けてスクリーン本体１３Ｂの左右方向の全体にわたり並んでいる。
【０１０６】
複数の上側外縁部１３ＥＵの各々は、案内レール２１において前側通路形成部材２３Ｆと後側通路形成部材２３Ｂとの間の空間である案内通路２１Ｇに導入されている。なお、スクリーン１３における上側外縁部１３ＥＵは、スクリーン本体１３Ｂから上方に向かって延びるライン状に限らず、スクリーン本体１３Ｂと一体に形成されて左右方向に沿って連続する帯状の外縁部であってもよいし、第１から第３実施形態に記載の外縁部であってもよい。
【０１０７】
こうした構成においても、前側通路形成部材２３Ｆと後側通路形成部材２３Ｂとの間の空間から上側外縁部１３ＥＵが抜け始めるとき、前側通路形成部材２３Ｆと後側通路形成部材２３Ｂとは、上側外縁部１３ＥＵに接触しながらスクリーン本体１３Ｂに追従して変形する。結果として、前側通路形成部材２３Ｆ、および、後側通路形成部材２３Ｂの各々は、案内位置から、上側外縁部１３ＥＵに対する押圧力を高める抜止位置へ変位する。そして、前側通路形成部材２３Ｆと後側通路形成部材２３Ｂとの間の空間から上側外縁部１３ＥＵの全てが逸脱すること、ひいては、案内レールからスクリーン１３が逸脱することが抑えられる。
【０１０８】
上記第５実施形態の縦型スクリーンは、以下のように変形することも可能である。
・可動部は、他の実施形態と同じく、前側通路形成部材２３Ｆと後側通路形成部材２３Ｂとの両方に限らず、前側通路形成部材２３Ｆと後側通路形成部材２３Ｂのいずれか一方でもよい。
【０１０９】
・前側通路形成部材２３Ｆと後側通路形成部材２３Ｂとは、第２実施形態に記載の前側通路形成部材３３Ｆと後側通路形成部材３３Ｂとから構成されてもよいし、第３実施形態に記載の前側通路形成部材４３Ｆと後側通路形成部材４３Ｂとから構成されてもよい。また、案内レールは、これらの組み合わせであってもよい。
【０１１０】
・図１６が示すように、日射遮蔽装置は、縦型プリーツスクリーンであってもよい。この際、スクリーン本体１３Ｂにおいて上側外縁部１３ＥＵの接続する位置は、プリーツスクリーンの折り目１３Ｋであってもよいし、折り目１３Ｋでなくともよい。なお、スクリーン本体１３Ｂにおいて上側外縁部１３ＥＵの接続する位置は、プリーツスクリーンの開閉に際して前後方向に変位しない部位であることが好ましい。こうした構成であれば、プリーツスクリーンが案内レール２１から逸脱することが抑えられ、かつ、前側通路形成部材２３Ｆや後側通路形成部材２３Ｂと、上側外縁部１３ＥＵとの間の過剰な摩擦が抑えられるから、プリーツクリーンの折り畳みが円滑に進む。
【０１１１】
上記各実施形態は、以下のように変更して実施することもできる。
・各実施形態におけるスクリーンは、遮光性を有する生地、透光性を有する生地、網戸用の網目生地であってもよく、日射を遮蔽する遮蔽材であればよい。
【０１１２】
・挟持部の挟む空間は、遮蔽材を案内する通路に限らず、遮蔽材の位置する空間であればよい。例えば、遮蔽材の保持されるべき位置に２つの通路形成部材が配置され、単に遮蔽材の位置を保持する機構として可動部が機能してもよい。
【０１１３】
・可動部が第２位置に変位することによって保持力が高まる構成は、外縁部に対する押圧力が高まる構成に限らず、例えば、挟持部に挟まれる外縁部が凹凸面を有し、可動部が第２位置に変位することによって、外縁部の凹凸面と可動部の表面とが係合し、その係合によって保持力が高まる構成であってもよい。
【０１１４】
・各実施形態において、スクリーンの広がる方向において２つ以上の通路形成部材が並んでもよく、スクリーンの前後方向において２つ以上の通路形成部材が並んでもよい。
図１７が示すように、例えば、縦型スクリーンにおいて、２つのスクリーン１３が前後方向に沿って並ぶ構成であれば、２つの前側通路形成部材４３Ｆが、２つのスクリーン１３の前側に位置し、２つの後側通路形成部材４３Ｂが、２つのスクリーン１３の後側に位置してもよい。こうした構成であれば、２つのスクリーン１３の各々において、スクリーン１３が案内通路２１Ｇから抜け出ることを抑えることが可能である。
【０１１５】
・各実施形態において、可動部（前側通路形成部材２３Ｆ、後側通路形成部材２３Ｂ、前側通路形成部材３３Ｆ、後側通路形成部材３３Ｂ、前側通路形成部材４３Ｆ、後側通路形成部材４３Ｂ）と案内レール２１とが一体に成型された構造であってもよい。
【符号の説明】
【０１１６】
θ…案内角、Ｃ…円、Ｋ…接触部、Ｌ…スクリーン案内線、Ｒ…案内径、Ｔ…対向部分、Ｗ，ＬＧ…幅、Ｃ１…接続部、Ｃ２…中心軸、Ｃ３…中心軸、Ｆａ…外力、ＬＳ，ＬＷ…長さ、１１…枠体、１２…巻取軸、１２Ａ…回転中心、１３…スクリーン、１３Ｅ…外縁部、１４…ウエイトバー、１５…操作チェーン、２１…案内レール、２１Ｂ…後側案内壁、２１Ｆ…前側案内壁、２１Ｇ…案内通路、２１ｉ…内側辺、２１ｏ…外側辺、２２…誘導部、２２Ａ…誘導内側辺、２２Ｂ…後側誘導壁、２２Ｆ，３３Ｆ…前側誘導壁、２２Ｓ…狭窄部、２３Ｂ，３３Ｂ，４３Ｂ…後側通路形成部材、２３Ｆ，３３Ｆ，４３Ｆ…前側通路形成部材、２３Ｍ，３３Ｍ…支持部、２３Ｓ…抜止曲板、３３Ｄ…規制部、３３Ｓ…抜止カム、４３Ｓ…抜止レバーカム、４４…出力基端部、４５…カム面、４６…入力部。
【図１】
2015012266.tif 000003
【図２】
2015012266.tif 000004
【図３】
2015012266.tif 000005
【図４】
2015012266.tif 000006
【図５】
2015012266.tif 000007
【図６】
2015012266.tif 000008
【図７】
2015012266.tif 000009
【図８】
2015012266.tif 000010
【図９】
2015012266.tif 000011
【図１０】
2015012266.tif 000012
【図１１】
2015012266.tif 000013
【図１２】
2015012266.tif 000014
【図１３】
2015012266.tif 000015
【図１４】
2015012266.tif 000016
【図１５】
2015012266.tif 000017
【図１６】
2015012266.tif 000018
【図１７】
2015012266.tif 000019
【国際調査報告】
2015012266.tif 000020
2015012266.tif 000021
2015012266.tif 000022
2015012266.tif 000023